(57)【特許請求の範囲】
【請求項１】
３次元空間を走査するための第１の送受信条件と断層面を走査するための第２の送受信条件とを設定する手段と、
前記第１、第２の送受信条件での送受信を繰り返し切換える手段とを具備し、
前記第１、第２の送受信条件での超音波送受信のそれぞれに基づく第１、第２の超音波画像を同時に表示する超音波診断装置。
【請求項２】
前記第１、第２の超音波画像はＢモード像であることを特徴とする請求項１記載の超音波診断装置。
【請求項３】
３次元空間を走査するための第１の送受信条件と前記３次元空間内の一部の特定領域を走査するための第２の送受信条件とを設定する手段と、
第１、第２の送受信条件での送受信を繰り返し切換える手段とを具備し、
前記第１、第２の送受信条件での超音波送受信のそれぞれに基づく第１、第２のＢモード像を表示する超音波診断装置。
【請求項４】
前記送受信条件は、送信超音波の音圧、中心周波数、帯域、波連長、および送信口径、焦点、開口面上の音圧振幅の重み付け関数、さらに受信時の中心周波数、帯域、および受信口径、焦点、開口面上の音圧振幅の重み付け関数、送信および受信のラスター密度、およびモードの少なくとも一つを含むことを特徴とする請求項１または請求項３記載の超音波診断装置。
【請求項５】
前記第１の送受信条件における並列同時受信数は、前記第２の送受信条件における並列同時受信数より多いことを特徴とする請求項１または請求項３記載の超音波診断装置。
【請求項６】
前記第２の送受信条件は送信ビーム幅が前記第１の送受信条件よりも細いことを特徴とする請求項５に記載の超音波診断装置。
【請求項７】
前記第２の送受信条件はティッシュハーモニックモードの送受信条件であることを特徴とする請求項５に記載の超音波診断装置。
【請求項８】
前記第２の送受信条件はカラードプラモードの送受信条件であることを特徴とする請求項１に記載の超音波診断装置。
【請求項９】
前記第１の送受信条件に基づく超音波送信は前記第２の送受信条件に基づく超音波送信よりも、高い音圧で行われることを特徴とする請求項１または請求項３記載の超音波診断装置。
【請求項１０】
前記第２の送受信条件は同一方向に複数回超音波ビームを送信する多段送信方式であることを特徴とする請求項９記載の超音波診断装置。
【発明の詳細な説明】
【０００１】
【発明の属する技術分野】
本発明は、超音波ビームを３次元空間で走査し、３次元超音波画像を表示する超音波診断装置に関する。
【０００２】
【従来の技術】
近年、超音波ビームをリアルタイムに３次元的に走査し、３次元空間の超音波情報をリアルタイムに表示するリアルタイム３次元超音波診断装置が研究されている。ここでは、２次元アレイプローブが用いられ、超音波ビームを３次元空間で電子的に走査し、任意の断層面の情報、あるいは３次元情報を表示することができる。所望の空間をリアルタイムに走査するために、一回の超音波の送信において複数方向に受信ビームを形成し、複数方向の超音波エコーを同時に収集する並列同時受信技術が利用されている。
【０００３】
しかしながら、並列同時受信を行う場合、ビーム幅の広い送信が必要とされることにより、必然的に送信感度の劣化が発生する。同様に、送信ビームが広いことにより、空間分解能の劣化も発生する。また、２次元アレイプローブの各素子は、従来の１次元アレイプローブの各素子の大きさの３０分の１以上小さくなることが予想され、送信音圧が低下し、送受信のＳ／Ｎの劣化が発生する。
【０００４】
送信音圧の低下は、ＢモードのＳ／Ｎ劣化となり、さらにカラー感度劣化が深刻になる。また、可能な限りの高音圧送信を必要とするティッシュハーモニックモードやコントラストエコーモードでも、送信音圧の低下は問題となる。リアルタイム３次元超音波診断には、従来のＢモードの超音波診断装置と同等以上の画質が求められ、空間分解能の劣化は許容できない問題である。
【０００５】
また、並列同時受信により３次元スキャンをする場合、特にセクター型プローブでは、開口面鉛直方向にビームを走査する時に比べ斜め方向にビームを走査する時は、素子の指向特性の影響で感度が劣化する。
【０００６】
【発明が解決しようとする課題】
このように従来のリアルタイム３次元超音波診断装置は、リアルタイムで３次元空間を走査し３次元画像を表示するために、送信ビーム幅を広くし、同時に複数方向からのエコー信号を受信する（並列同時受信数を増やす）ことでフレームレートを向上していた。しかし、このようにしてフレームレートを向上すると、リアルタイム性は良くなるものの、感度、空間分解能、Ｓ／Ｎの劣化や、送信音圧の低下が生じ、画質が犠牲になっていた。また、従来の並列同時受信方式では、開口面鉛直方向にビームを走査する時に比べ、斜め方向にビームを走査する時は、感度が劣化する。
【０００７】
したがって、本発明の目的は、リアルタイムで３次元空間を走査することができるとともに、従来の２次元超音波診断装置で得られる断層像より高画質の断層像を含む異なる超音波情報を表示することができる超音波診断装置を提供することである。
【０００８】
【課題を解決するための手段】
前記課題を解決し目的を達成するために、本発明は以下に示す手段を用いている。
（１）本発明の一態様によれば、超音波診断装置は３次元空間を走査するための第１の送受信条件と断層面を走査するための第２の送受信条件とを設定する手段と、前記第１、第２の送受信条件での送受信を繰り返し切換える手段とを具備し、前記第１、第２の送受信条件での超音波送受信のそれぞれに基づく第１、第２の超音波画像を同時に表示するものである。
このため、３次元画像情報が得られるとともに、指定された断層面の高精細な画像情報を得て、表示することができる。
（２）本発明の他の態様によれば、上記（１）に記載した超音波診断装置であって、かつ前記第１、第２の超音波画像はＢモード像である。
このため、２種類のＢモード像を表示することができる。
（３）本発明の他の態様によれば、超音波診断装置は、３次元空間を走査するための第１の送受信条件と前記３次元空間内の一部の特定領域を走査するための第２の送受信条件とを設定する手段と、第１、第２の送受信条件での送受信を繰り返し切換える手段とを具備し、前記第１、第２の送受信条件での超音波送受信のそれぞれに基づく第１、第２のＢモード像を表示するものである。
このため、２種類のＢモード像を表示することができる。
（４）本発明の他の態様によれば、上記（１）または（３）に記載した超音波診断装置であって、かつ前記送受信条件は、送信超音波の音圧、中心周波数、帯域、波連長、および送信口径、焦点、開口面上の音圧振幅の重み付け関数、さらに受信時の中心周波数、帯域、および受信口径、焦点、開口面上の音圧振幅の重み付け関数、送信および受信のラスター密度、およびモードの少なくとも一つを含むものである。
このため、画質が異なる複数の画像を得て、表示することができる。
（５）本発明の他の態様によれば、上記（１）または（３）に記載した超音波診断装置であって、かつ前記第１の送受信条件における並列同時受信数は、前記第２の送受信条件における並列同時受信数より多いものである。
このため、第１の送受信条件で３次元空間全体をリアルタイム性良く走査可能であり、第２の送受信条件で特定領域を高精細に走査可能である。
（６）本発明の他の態様によれば、上記（５）に記載した超音波診断装置であって、かつ前記第２の送受信条件は送信ビーム幅が前記第１の送受信条件よりも細いものである。
このため、第２の送受信条件で特定領域を高精細に走査可能である。
（７）本発明の他の態様によれば、上記（５）に記載した超音波診断装置であって、かつ前記第２の送受信条件はティッシュハーモニックモードの送受信条件であるものである。
このため、第２の送受信条件は高音圧とし、Ｓ／Ｎ、分解能を向上することができる。
（８）本発明の他の態様によれば、上記（１）に記載した超音波診断装置であって、かつ前記第２の送受信条件はカラードプラモードの送受信条件である。
このため、第２の送受信条件は高音圧とし、カラー感度を向上することができる。
（９）本発明の他の態様によれば、上記（１）または（３）に記載した超音波診断装置であって、かつ前記第１の送受信条件に基づく超音波送信は前記第２の送受信条件に基づく超音波送信よりも、高い音圧で行われる。
このため、第１の送受信条件で造影剤に含まれる微小気泡の消失をできるだけ低減し、第２の送受信条件で気泡の消失時に発生する信号を効率良く検出することにより、コントラストエコーモードの撮影を高Ｓ／Ｎ、高分解能で行うことができる。
（１０）本発明の他の態様によれば、上記（９）に記載した超音波診断装置であって、かつ前記第２の送受信条件は同一方向に複数回超音波ビームを送信する多段送信方式である。
このため、第２の送受信条件で特定領域を高精細に、しかも短時間に走査可能である。
【００２０】
【発明の実施の形態】
以下、図面を参照して本発明による超音波診断装置の実施形態を説明する。
第１実施形態
図１は本発明の第１実施形態に係るリアルタイム３次元超音波診断装置の構成を示すブロック図である。２次元アレイプローブ１２は、例えば６４チャンネル×６４チャンネル（４，０９６チャンネル）程度の２次元配列された振動子から構成されており、各チャンネルの振動子が直接、あるいは図示しないスイッチ（プローブケース、プローブコネクタ内に設置）を介して装置本体１４に接続されている。
【００２１】
装置本体１４は、送受信回路１６を有し、送受信回路１６内の送信器１８から送信焦点に対応して各チャンネル（ＣＨ）に設定された遅延時間を持った送信パルスが送受切替（Ｔ／Ｒ）スイッチ２０を介して各チャンネルの振動子に供給される。送信パルスがプローブ１２により音圧信号に変換され、送信される。
【００２２】
生体からのエコーは再びプローブ１２の設定された所望のＣＨで受信され、プリアンプ２２で増幅され、ビームフォーマ回路２４で各送信方向毎にビームフォーマ（ＢＦｉ）２４−ｉ（ｉ＝１〜ｎ）で遅延時間が与えられ、所望の受信焦点に合わせて受信ビームが形成される。
【００２３】
ビームフォーマ回路２４はシステムバス２６に接続される。システムバス２６にはエコープロセッサ２８、ドプラプロセッサ３０、３Ｄプロセッサ３２、アプリケーションプロセッサ３４、ホストＣＰＵ３６、表示ユニット３８が接続される。エコープロセッサ２８はエコー信号の輝度に応じたＢモード断層像を生成する。ドプラプロセッサ３０はエコー信号のドプラ成分を検出して、血流の向き、速度等に関する血流情報を得て、これらをＢモード断層像上にカラーで表示するカラーフローマッピング像を生成する。３Ｄプロセッサ３２は多数断層面の３次元画像情報から鳥瞰図等の３次元画像を生成する。アプリケーションプロセッサ３４は応用計測ソフトウェアや３次元再構成ソフトウェア（専用ハードウェア化も可）を実行する。応用計測ソフトウェアは、画像から左室内膜を自動検出したり、ドプラ画像から流量を計算するものである。ホストＣＰＵ３６には、キーボード４２、マウス４４、トラックボール４６等の指示入力部材が設置、あるいは接続されている操作パネル４０が接続される。表示ユニット３８にはモニタ装置４８が接続される。
【００２４】
このような構成の本実施形態の作用を次に説明する。本実施形態は、並列同時受信方式を実施するに際して、並列同時受信数を変更した複数の送受信条件を設定可能であり、これら複数の送受信条件が所定の間隔で切換えられる。通常は、所定のフレームレートを確保して３次元リアルタイムスキャンを行う。ここでは、ある程度以上のフレームレートで３次元空間を走査するために、図２（ａ）に示すように、太い送信ビームで複数方向からの受信信号を検出する並列同時受信技術を積極的に利用する（並列同時受信数を大きくする）。操作者はキーボード４２、マウス４４、トラックボール４６等の指示入力部材により、超音波ビーム方向の所望の断層面を指定する。指定された断層面は、３次元スキャンとは独立に所望の時間間隔で高精細に走査される。ここでは、図２（ｂ）に示すように、送信ビームを細くし、並列同時受信数を小さくし、高感度で高分解能に信号を検出する。特に、断層面と直交するスライス方向のビーム幅は最適な焦点・口径条件に設定される。場合によっては、３次元スキャンよりラスター間隔を小さくしたら、複数焦点に複数回送信する多段送信法を併用する。なお、ラスター間隔の大小に限らず多段送信法は有効である。すなわち、ラスター間隔は操作方向の分解能向上策であり、多段送信法はスライス方向の分解能向上策である。指定された断層面の感度、分解能は従来の２次元超音波装置以上の性能であることが望ましく、スライス方向を含めた送受信開口面上の重み付け処理、スキャン方向とスライス方向の両方に対する最適な焦点設定を行うことにより、感度、分解能を向上する。さらに、３次元スキャンでは、感度重視の観点より、生体減衰の小さい送信周波数が比較的低周波の超音波でスキャンを行う場合もあるが、その場合でも指定断層面は、高周波を含む所望の周波数条件（すなわち、現在の１次元プローブで実現されている所望の周波数条件）で走査し、高解像度のＢモード像を形成することができる。
【００２５】
図３は、３次元リアルタイムスキャンの走査範囲と、高精細スキャンの断層面との関係を示す。図３では、３次元画像を図示省略しているが、超音波ビーム方向で指定された断層面については、高精細で高感度な画像が高分解能で表示されている。
【００２６】
３次元リアルタイムスキャンによる画像と、高精細スキャンによる断層像の表示は様々な態様が考えられるが、一例を挙げると、図４に示すように、３次元スキャンにより得られた情報より再構成された任意方向の任意断層像５２と、指定の断層面の高精細断層像５４を並列して、リアルタイムに表示することが考えられる。任意断層像５２がロードマップとなり、高精細断層像５４の断層位置が破線５６で表示される。この状態で、キーボード４２、マウス４４、トラックボール４６等の指示入力部材により断層面の位置を変えると、それに応じて高精細スキャンの断層面が変わり、高精細断層像４４も変わる。なお、３次元リアルタイムスキャンによる画像は任意断層像４２に限らず、所定の視線方向（例えば、斜め上）から見た写像（いわゆる３次元画像）でもよい。写像は３Ｄプロセッサ３２で画像再構成される。
【００２７】
以上説明したように、本実施形態によれば、リアルタイムに３次元空間を走査し、３次元空間の超音波情報を収集する送受信条件と、ある設定された断層面を高精細に走査する送受信条件を切換えながら走査する。具体的には、並列同時送受信方式において並列同時受信数を変えることにより、フレームレート、あるいは画質を制御する。３次元リアルタイムスキャンは、フレームレートをある程度高く（２０Ｈｚ程度）維持するために、並列同時受信法を積極的に利用し（並列同時受信数を大きくする）、小さいラスタ密度でスキャンを行う。一方、高精細な画像を形成する断層面については、並列同時受信段数を小さくし、ラスタ密度を大きくする。さらに、１．５次元的な走査や、ハーモニック法も組み合わせてもよい。１．５次元的な走査とは、１次元と２次元の中間的な走査である。１次元走査は横一列に配置された振動子アレイを用い、２次元走査は縦横に配置された振動子アレイを用い、１．５次元走査は横に１００、縦に１０程度配置された振動子アレイを用いる。ただし、１次元、１．５次元走査では超音波は一断層面を走査し、２次元走査では超音波は３次元空間を自由に走査する。１次元と１．５次元の差は１．５次元では縦方向にも振動子が多少配列されているので、スライス方向のビームをある程度制御でき、スライス方向のビーム特性を改善した画像を形成することができる。本発明を１．５次元走査に適用する場合は、２次元アレイプローブを用いているが、第２の送信条件では指定断面を走査し、その際、縦方向のアレイを制御し、スライス方向のビームを最適に制御する。また、ハーモニック法は１つの送受信条件を定義するもので、高精細スキャンの一条件として設定する。造影剤と組み合わせたときは、造影剤検出のための一条件である。
【００２８】
このようにして得られた２種類の超音波情報に基づいて、３次元画像、あるいは所望の位置の断層像がリアルタイムに表示されるとともに、高精細な断層像もリアルタイムに表示される。したがって、３次元空間の情報がリアルタイムに表示され、かつ関心領域についての高精細な画像が同時に表示されるので、３次元空間のラフな形態の動画情報、あるいは機能情報と、特定領域の高精細な断層像情報が得られ、診断能が著しく向上する。
【００２９】
第２実施形態
以下、本発明による装置の他の実施形態を説明する。他の実施形態の説明において第１実施形態と同一部分は同一参照数字を付してその詳細な説明は省略する。
【００３０】
第２実施形態のブロック図は第１実施形態のブロック図と同一であるので、図示省略する。第２実施形態は、第１実施形態と比べてスキャンのモードが異なる。第１実施形態では、３次元リアルタイムスキャンも高精細スキャンもいずれもＢモード断層像を得るための走査であったが、第２実施形態では、３次元スキャンはＢモード用の走査あるいはカラードプラ用の走査であり、指定された断層面の高精細スキャンは、カラードプラ用の走査（Ｂモード＋ＣＦＭモード）である。３次元リアルタイムスキャンは第１実施形態と同様に図２（ａ）に示したように、太い送信ビームで複数方向からの受信信号を検出する並列同時受信技術を積極的に利用し（並列同時受信数を大きくし）て行われ、高精細スキャンも第１実施形態と同様に図２（ｂ）に示したように、細いビームにより行う。高精細スキャンの送受信条件は、血流信号の検出能を最重視し、送受信周波数や口径・スキャン方向とスライス方向両方に対する最適な焦点設定を行い、従来の２次元超音波装置で得られるＢモード断層像以上の画質を実現する。
【００３１】
図５は、３次元リアルタイムスキャンの走査範囲と、高精細スキャンの断層面との関係を示す。図５でも、３次元画像を図示省略しているが、超音波ビーム方向で指定された断層面については、高精細で高感度なカラードプラ像（血流像）が高分解能で表示されている。
【００３２】
表示の態様は第１実施形態と同様であり、図４に示すように任意方向の任意断層像と、指定の断層面の高精細断層像を並列して、リアルタイムに表示してもよいし、３次元画像と、指定の断層面の高精細断層像を並列して表示してもよい。
【００３３】
本実施形態によっても、リアルタイムに３次元空間を走査し、３次元空間の超音波情報を収集しつつ、ある設定された断層面を高精細に走査することにより、３次元空間の情報がリアルタイムに表示され、かつ関心領域についての高精細な画像が同時に表示されるので、３次元空間のラフな形態の動画情報、あるいは機能情報と、特定領域の高精細な断層像情報が得られ、診断能が著しく向上する。
【００３４】
第３実施形態
第３実施形態のブロック図も第１実施形態のブロック図と同一であるので、図示省略する。第３実施形態はコントラストエコーモードに関する実施形態であり、音圧を異ならせることにより送受信条件を異ならせている。３次元モニタースキャンでは、図２（ａ）に示すように太いビームを用いて、かつ造影剤に含まれる微小気泡を壊さない程度の低音圧で３次元空間をリアルタイムに走査する。指定された断層面では、図２（ｂ）に示すように細いビームを用いて、かつ高音圧で送信し、造影剤（微小気泡）からの信号を高感度に検出する（フラッシュスキャン）。フラッシュスキャンの送受信条件、特に焦点の設定は、断層面内の音圧分布を考慮し、スキャン方向とスライス方向両方に対する最適な設定を行い、従来の２次元超音波装置で得られるＢモード断層像以上の画質を実現する。造影剤の場合は、ハーモニックモードをベースに送受信することが有効と考えられる。また、ドプラ法と併用される（フラッシュをドプラモード、あるいはハーモニックドプラモードで行う）場合もある。
【００３５】
図６は、３次元リアルタイムスキャンの走査範囲と、フラッシュスキャンの断層面との関係を示す。図６でも、３次元画像を図示省略しているが、超音波ビーム方向で指定された断層面については、高精細で高感度なフラッシュスキャン像（間欠的な高精細像、すなわち造影剤の染影像）が高分解能で表示されている。
【００３６】
表示の態様は第１実施形態と同様であり、図４に示すように任意方向の任意断層像と、指定の断層面の高精細フラッシュスキャン像を並列して、リアルタイムに表示してもよいし、３次元画像と、指定の断層面の高精細フラッシュスキャン像を並列して表示してもよい。
【００３７】
本実施形態によっても、リアルタイムに３次元空間を走査し、３次元空間の超音波情報を収集しつつ、ある設定された断層面を高精細に走査することにより、３次元空間の情報がリアルタイムに表示され、かつ関心領域についての高精細な画像が同時に表示されるので、３次元空間のラフな形態の動画情報、あるいは機能情報と、特定領域の高精細な断層像情報が得られ、診断能が著しく向上する。
【００３８】
なお、本実施形態の変形例としては、指定された断層面を最適な音圧で気泡の消失を抑えながら、３次元スキャンより高フレームレートに観察してもよい。すなわち、実施形態では、リアルタイムの形態動画像と染影像の表示を説明したが、変形例は、気泡の消失を低減しながら、例えば低音圧のハーモニックモードで造影剤の染影の３次元リアルタイム像を表示し、間欠的な高感度、高精細なフラッシュ像を表示するものである。
【００３９】
第４実施形態
上述した実施形態は、送受信条件として並列同時受信数、音圧等を一律に変えたが、第４実施形態は超音波ビームの走査方向毎に条件を変えるものである。これは、並列同時受信により３次元スキャンをする場合、特にセクター型プローブでは、開口面鉛直方向にビームを走査する時に比べ斜め方向にビームを走査する時は、素子の指向特性の影響で感度が劣化することを補償するためである。すなわち、図７に示すように、プローブの開口面鉛直方向（３次元空間の中心）から離れるにつれて超音波ビームの走査間隔を狭くして、感度の低下をラスタ密度の増加で補償する。図７の３次元走査範囲を示すピラミッドの底面の点は、受信ラスターと底面の交点であり、ラスター密度を示す。図７は、超音波ビームの走査間隔を狭くして、ラスタ密度を増加したが、斜め方向では送信ビームを狭くし、並列同時受信数を小さくすることによっても感度改善を行うことができる。
【００４０】
このように３次元スキャンの中心方向と斜め方向とで、ラスタ密度を変えることにより、並列同時受信方式において、開口面鉛直方向と斜め方向とで感度が変わることを防止できる。
【００４１】
本発明は上述した実施形態に限定されず、種々変形して実施可能である。例えば、上述の説明では送受信条件は並列送受信数としたが、これ以外に、送信超音波の音圧、中心周波数、帯域、波連長、および送信口径、焦点、開口面上の音圧振幅の重み付け関数、さらに受信時の中心周波数、帯域、および受信口径、焦点、開口面上の音圧振幅の重み付け関数、送信および受信のラスター密度、およびモードの少なくとも一つであってもよい。また、第４実施形態は他の実施形態と組み合わせてもよい。
【００４２】
【発明の効果】
以上説明したように本発明によれば、下記のような作用効果を奏する超音波診断装置を提供することができる。
３次元空間の超音波画像、あるいは３次元空間内の任意断層像をロードマップとして表示するとともに、所望の断層面の断層像を従来の２次元超音波診断装置による断層像より高Ｓ／Ｎ、高分解能で表示することにより、３次元空間の情報がリアルタイムに表示され、かつ関心領域についての高精細な画像が同時に表示され、３次元空間のラフな形態の動画情報、あるいは機能情報と、特定領域の高精細な断層像情報が得られ、診断能が著しく向上する。本発明をドプラ法に適用した場合は、血管の位置を３次元的に把握しながら、従来より高感度に所望の断層面の血流を検出できる。また、本発明をコントラストエコー法に適用した場合は、３次元的な形態の動きを観察しながら、所望の断層面の組織血流や血管の染影像を得ることができる。
【図面の簡単な説明】
【図１】本発明による超音波診断装置の第１実施形態の構成を示すブロック図。
【図２】第１実施形態における３次元リアルタイムスキャンと高精細スキャンの送受信条件を説明する図。
【図３】第１実施形態における３次元リアルタイムスキャンと高精細スキャンの走査範囲を示す図。
【図４】第１実施形態における３次元リアルタイムスキャンによる画像と高精細スキャンによる画像の表示の一例を示す図。
【図５】第２実施形態における３次元リアルタイムスキャンと高精細スキャンの走査範囲を示す図。
【図６】第３実施形態における３次元リアルタイムスキャンと高精細スキャンの走査範囲を示す図。
【図７】第４実施形態の原理を説明するために、超音波ビームの方向により走査間隔を変える様子を示す図。
【符号の説明】
１２…２次元アレイプローブ
１６…送受信回路
２４…ビームフォーマ回路
２８…エコープロセッサ
３０…ドプラプロセッサ
３２…３Ｄプロセッサ
４０…操作パネル
４８…モニタ装置
【図１】
0003847976.tif 000002
【図２】
0003847976.tif 000003
【図３】
0003847976.tif 000004
【図４】
0003847976.tif 000005
【図５】
0003847976.tif 000006
【図６】
0003847976.tif 000007
【図７】
0003847976.tif 000008